(57)【要約】【課題】ピント板が交換可能な撮像装置において、いずれのピント板に交換されても、正確な測光補正を行い、最適な露光量にて撮影を行う。【解決手段】複数の測光領域に分割された測光手段と、ピント板上に形成された複数の反射部材に向けて照射する複数の第１光源群と、反射部材の無いピント板上の領域に向けて照射する第２光源と、第２光源により照射される領域に対応した第１測光領域と該第１測光領域に隣接した少なくとも一つの測光領域からなる第２測光領域との輝度信号差から、装着された前記ピント板の拡散特性を判定するピント板判定手段（＃２０５）と、ピント板判定手段の結果に基づいてピント板に対応した測光補正値を選択し、測光値を補正する測光補正手段（＃２０６，＃２０７，＃２１１）と、補正された測光値に基づいて露出演算を行う露出制御手段（＃２１２）とを有する。【選択図】図５
2009025594.tif 000002
【特許請求の範囲】
【請求項１】
ピント板が交換可能な撮像装置において、
被写界の複数領域の輝度を検出するために複数の測光領域に分割された測光手段と、
前記ピント板上に形成された複数の反射部材に向けて照射する複数の第１光源群と、
前記反射部材の無い前記ピント板上の領域に向けて照射する第２光源と、
前記第２光源により照射される前記領域に対応した第１測光領域と該第１測光領域に隣接した少なくとも一つの測光領域からなる第２測光領域との輝度信号差から、装着された前記ピント板の拡散特性を判定するピント板判定手段と、
前記ピント板判定手段の結果に基づいて前記ピント板に対応した測光補正値を選択し、測光値を補正する測光補正手段と、
補正された前記測光値に基づいて露出演算を行う露出制御手段とを有することを特徴とする撮像装置。
【請求項２】
前記第１光源群の発光は、前記反射部材によって焦点検出用の領域として使用者により視認されることを特徴とする請求項１に記載の撮像装置。
【請求項３】
前記第１光源群と前記第２光源は、同一パッケージ上に構成されていることを特徴とする請求項１または２に記載の撮像装置。
【請求項４】
前記測光補正手段は、予め保持している複数の測光補正値の中より前記ピント板の拡散特性に応じて前記測光補正値を選択し、測光値を補正することを特徴とする請求項１ないし３のいずれかに記載の撮像装置。
【請求項５】
前記ピント板判定手段の動作の際は、撮影光束を前記ピント板を経て前記測光手段に導く位置にある反射ミラーが上昇することによって、前記ピント板に入射する撮影光束を遮断することを特徴とする請求項１ないし４のいずれかに記載の撮像装置。
【発明の詳細な説明】
【技術分野】
【０００１】
本発明は、ピント板を交換可能なデジタル一眼レフカメラなどの撮像装置に関するものである。
【背景技術】
【０００２】
一眼レフカメラの中には、撮影条件や使用者のファインダ被写界像の見えに対する好みに応じて、ピント板（フォーカシングスクリーン）を交換可能としたものがある。具体的には、ファインダ視野の明るいもの、あるいはピントの山がつかみ易いもの、ピントのずれた部分のボケ味が自然なもの等が得られるように、ピント板を交換可能としている。従って、これらピント板は、その目的、種類によって、光の拡散特性（以下、拡散特性）が異なる。
【０００３】
そのため、ピント板の透過光を測光素子等の測光手段により測光し、この測光結果を基に露出制御を行って露出因子（シャッタ速度、絞り値等）を決定する撮像装置において、装着しているピント板の拡散特性に応じて測光補正が必要となる場合がある。そこで、従来では、測光補正の手段として、撮影者が手動で補正値を設定する方法がとられていた。
【０００４】
しかしながら、ピント板の種類（拡散特性）に応じて測光補正を手動で設定する従来の方法では、設定のし忘れ、設定の間違いが発生することは避けられず、その結果、不正確な測光補正により最適な露光量での撮影ができないことがあった。
【０００５】
これに対処するために、ピント板の種類（拡散特性）に応じて測光補正を自動的に設定する一眼レフカメラが、特開平０６−０５１３６７号公報（特許文献１）により提案されている。これは、装着されたピント板の拡散特性を検出する拡散特性検出手段を有するというものである。
【特許文献１】特開平０６−０５１３６７号公報
【発明の開示】
【発明が解決しようとする課題】
【０００６】
しかしながら、上記特許文献１では、拡散特性検出手段として、ピント板に向けて測定光を発する光源と、ピント板を透過する光を受光する受光素子を備えている場合、正確な測光補正を行うことができるとは、必ずしも言い切れないものであった。
【０００７】
（発明の目的）
本発明の目的は、ピント板が交換可能な撮像装置において、いずれのピント板に交換されても、正確な測光補正を行い、最適な露光量にて撮影を行うことのできる撮像装置を提供しようとするものである。
【課題を解決するための手段】
【０００８】
上記目的を達成するために、本発明は、ピント板が交換可能な撮像装置において、被写界の複数領域の輝度を検出するために複数の測光領域に分割された測光手段と、前記ピント板上に形成された複数の反射部材に向けて照射する複数の第１光源群と、前記反射部材の無い前記ピント板上の領域に向けて照射する第２光源と、前記第２光源により照射される前記領域に対応した第１測光領域と該第１測光領域に隣接した少なくとも一つの測光領域からなる第２測光領域との輝度信号差から、装着された前記ピント板の拡散特性を判定するピント板判定手段と、前記ピント板判定手段の結果に基づいて前記ピント板に対応した測光補正値を選択し、測光値を補正する測光補正手段と、補正された前記測光値に基づいて露出演算を行う露出制御手段とを有する撮像装置とするものである。
【発明の効果】
【０００９】
本発明によれば、ピント板が交換可能な撮像装置において、いずれのピント板に交換されても、正確な測光補正を行い、最適な露光量にて撮影を行うことのできる撮像装置を提供できる。
【発明を実施するための最良の形態】
【００１０】
本発明を実施するための最良の形態は、以下の実施例に示す通りである。
【実施例】
【００１１】
図１は本発明の一実施例に係る撮像装置の概略構成を示す図である。図１において、１０１はＣＰＵ（中央演算処理装置）であり、当該撮像装置の動作はこのＣＰＵ１０１により制御される。１０５は撮像レンズであり、被写界光（撮影光束）を撮像素子であるＣＣＤエリアセンサ（以下、エリアセンサ）１０６上に結像させている。１０２は撮像レンズ１０５からエリアセンサ１０６に到達する被写界の光量を制御するシャッタである。
【００１２】
被写界光はその一部が半透過主ミラー（反射ミラー）１２１、サブミラー１２２によって、後述の位相差方式の焦点検出ユニットに導かれる。そして、焦点検出ユニットにより、撮像レンズ１０５で結像された被写界光のピントがエリアセンサ１０６の受光面に対してどの方向に、どれ位ずれているか、いわゆるデフォーカス量として検出される。ここで、上記の焦点検出ユニットは、フィ−ルドレンズ１２３、２次結像レンズ１２４、焦点検出用のラインセンサ１１９により構成され、ファインダ画面上の特定領域の焦点検出を可能とする。
【００１３】
上記算出されたデフォーカス量に対して、ＣＰＵ１０１は、撮像レンズ１０５のレンズ駆動敏感度（レンズ固有の制御の細かさ）を考慮し、撮像レンズ１０５を駆動させるための駆動量パルスをレンズ駆動部１２５に送る。レンズ駆動部１２５は送られてきたパルスに応じて不図示のパルスモータを駆動させ、撮像レンズ１０５を合焦位置に駆動させ、自動焦点調節を行う。
【００１４】
１２８は撮像レンズ１０５の結像面となるエリアセンサ１０６と等価の結像面に置かれたピント板であり、ピント板１２８に結像した被写界像はペンタプリズム１２７、接眼レンズ１２６を通じて撮影者が観察可能なＴＴＬ方式の光学ファインダ構成となっている。このピント板１２８は、撮影目的や撮影者の視覚的好みに応じて異なったタイプに交換、装着可能である。一般的に明るいファインダ像を好む場合は、拡散特性の低い所謂素通しに近いマット部（ピント板の表面部）を有するピント板が装着される。逆に拡散特性の高いマット部を有するピント板が装着された場合は、撮像レンズ１０５の合焦状態（ピント合せ）の確認が容易になる特徴がある。また、構図合せのし易いように方眼の線が入ったもの、目盛り線が入ったもの等が交換可能なピント板として用意されている。
【００１５】
１３０は撮影被写界の可視光の輝度を測定する測光センサであり、結像レンズ１２９にてピント板１２８の被写界像を視感度フィルタ１３０ａを通じて測光センサ１３０上に結像させている。測光センサ１３０は、縦×横、各々５×７に分割された受光領域を有し、撮像装置のファインダ視野（被写界領域）の主要領域を５×７の領域に分割して、人間の視感度に合わせた波長にて測光することができる。１３２は明るい被写体の中でも視認できる高輝度ＬＥＤ（以下、ＳＩ−ＬＥＤ）であり、投光レンズ１３１によって上記ピント板１２８上の反射部材である微小プリズム部１２８ａに向けて光を投射する。すると、その光は微小プリズム部１２８ａで反射され、ペンタプリズム１２７、接眼レンズ１２６を通って撮影者の目に達する。
【００１６】
ここで、撮影者が撮像装置の光学ファインダを覗いて見ることができるファインダ視野図である図２を用いて、測光センサ１３０等についてさらに説明を行う。測光センサ１３０は、結像関係から、ファインダ視野をＡ１１〜Ａ５７までの５×７の３５分割された領域を各々測光可能である。図２に描かれている測光領域間の線は模式的に書かれたもので、勿論見ることはできない。ピント板１２８の微小プリズム部１２８ａはファインダ視野上で見ると四角で示す領域Ｓ０〜Ｓ４の５ヶ所に有り、なおかつ焦点検出用の領域と一致している。そのため、領域Ｓ０〜Ｓ４の少なくとも一つの領域の焦点検出状態が合焦に有る場合、微小プリズム部１２８ａが赤く光ることで撮影者にファインダ視野の何れの領域にピントがあっているのかを知らしめることが可能である。以下、これをスーパーインポーズ表示という。図２では、領域Ｓ１にピントが合っていることを示している。
【００１７】
ＳＩ−ＬＥＤ１３２は、図３に示すように、その内部はＬ０〜Ｌ５の６つのＬＥＤチップから構成されており、ＬＥＤチップＬ０〜Ｌ４は各々図３の微小プリズム部１２８ａの領域Ｓ０〜Ｓ４に対応している。図３ではＬＥＤチップＬ１にてスーパーインポーズ表示がなされていることになる。
【００１８】
一方、図３のＬＥＤチップＬ５からは、ピント板１２８の拡散特性を測定するために、図３の測光領域Ａ２６に対応したピント板１２８上の位置に投光がされる。詳細は後述する。なお、ＬＥＤチップＬ０〜Ｌ５は、ＳＩ−ＬＥＤ１３２（スーパーインポーズ表示手段）として同一パッケージ上に構成されている。
【００１９】
再び図１に戻って、撮影者によりレリーズスイッチ１１４（図１では不図示）が押されると、主ミラー１２１が撮像レンズ１０５の光路外に退避し、撮像レンズ１０５によって集光された被写界光はフォーカルプレーンシャッタ１０２で光量制御がなされる。そして、エリアセンサ１０６上に被写界像として結像され、光電変換処理された後、画像データとしてフラッシュメモリ等の記録媒体に記録される。また、撮影済み画像として表示部１１３に表示される。１１３はＴＦＴカラー液晶からなる外部表示部である。
【００２０】
図４は、上記撮像装置の電気的構成の概略を示す図である。
【００２１】
１０１は前述のＣＰＵであり、ＣＰＵ１０１には、制御プログラムを記憶しているＲＯＭ（リードオンリーメモリ）１０２、ＲＡＭ（ランダムアクセスメモリ）１０３、データ格納部１０４、画像処理部１０８が接続されている。ＣＰＵ１０１には、さらに、ＬＣＤ制御部１１１、レリーズスイッチ（ＳＷ）１１４、電源を供給するためのＤＣ／ＤＣコンバータ１１７が接続されている。
【００２２】
上記画像処理部１０８には、エリアセンサ制御部１０７、エリアセンサ１０６が接続されている。エリアセンサ１０６は有効画素数約５００万画素（２５６０×１９２０）を有している。ＬＣＤ制御部１１１には、表示駆動部１１２、さらには外部表示部１１３が接続されている。外部表示部１１３はエリアセンサ１０６で撮像された画像を縦横各々１／８に間引き処理された３２０×２４０の画像を表示することのできるＴＦＴカラー液晶である。ＤＣ／ＤＣコンバータ１１７には電池１１６から電源が供給されている。
【００２３】
ＣＰＵ１０１は、ＲＯＭ１０２内の制御プログラムに基づいて各種制御を行う。これらの制御の中には、画像処理部１０８から出力された撮影画像信号を読み込み、ＲＡＭ１０３へＤＭＡ転送を行う処理、同様にＲＡＭ１０３よりＬＣＤ制御部１１１へデータをＤＭＡ転送する処理を含む。さらには、画像データをＪＰＥＧ圧縮したファイル形式でデータ格納部１０４へ格納する処理を含む。また、ＣＰＵ１０１は、エリアセンサ１０６、エリアセンサ制御部１０７、画像処理部１０８、ＬＣＤ制御部１１１などに対してデータ取り込み画素数やデジタル画像処理の変更指示を行う。
【００２４】
１１９は一対の焦点検出用のラインセンサであり、焦点検出制御部１２０は一対のラインセンサ１１９から得た電圧をＡ／Ｄ変換し、ＣＰＵ１０１に送る。また、焦点検出制御部１２０はＣＰＵ１０１の指示のもとにラインセンサ１１９の蓄積時間とＡＧＣ（オートゲインコントロール）の制御も行う。
【００２５】
ＣＰＵ１０１は、焦点検出制御部１２０からの信号を処理することで、主要被写体に対する現在の焦点検出状態から主要被写体が合焦に至るためのレンズ駆動量を算出して、レンズ駆動部１２５に対して指示を与える。レンズ駆動部１２５は該指示に基づいて撮像レンズ１０５の中の焦点調節レンズを移動させることで、主被写体にピントを合わせることが可能となる。
【００２６】
１３０は前述した測光センサであり、被写界の輝度を検出してＣＰＵ１０１に信号を送り、ＣＰＵ１０１は該輝度情報に基づいてカメラの露光量を算出し、シャッタ秒時、撮像レンズ１０５の絞り値、のいずれかあるいは両方を決定する。１３２はピント板１２８への投光表示用の前述したＳＩ−ＬＥＤであり、合焦時の領域表示、および、装着されているピント板１２８の拡散特性を測定するための発光を行う。ＳＩ−ＬＥＤ１３２での発光、非発光、および、発光量の制御は、ＣＰＵ１０１によって制御されている。
【００２７】
レリーズスイッチ１１４の操作に伴う撮影動作の指示、さらに、各素子への電源の供給をコントロールするための制御信号、ＤＣ／ＤＣコンバータ１１７に対して出力する処理等も、ＣＰＵ１０１の制御の基に行われる。
【００２８】
ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納部１０４から読み出されたＪＰＥＧ圧縮画像データを一時的に格納するためのテンポラリバッファとして使用される。さらには、画像圧縮処理、解凍処理のための画像専用ワークエリアとしても使用される。ワークエリア１０３ｂは、各種プログラムのためのワークエリアである。ＶＲＡＭ１０３ｃは、外部表示部１１３へ表示する表示データを格納するＶＲＡＭとして使用される。また、一時退避エリア１０３ｄは、各種データを一時退避させるためのエリアである。
【００２９】
データ格納部１０４は、ＣＰＵ１０１によりＪＰＥＧ圧縮された撮影画像データ、あるいはアプリケーションより参照される各種付属データ等をファイル形式で格納しておくためのメモリである。
【００３０】
撮像レンズ１０５は被写界像を光学的にエリアセンサ１０６へ投影するために複数枚のレンズで構成されており、エリアセンサ１０６は撮像レンズ１０５によって投影された撮影画像をアナログ電気信号に変換するための素子である。エリアセンサ制御部１０７は、エリアセンサ１０６に転送クロック信号やシャッタ信号を供給するためのタイミングジェネレータ、エリアセンサ出力信号のノイズ除去、ゲイン処理を行うための回路を含むんでいる。さらには、アナログ信号を１０ビットデジタル信号に変換するためのＡ／Ｄ変換回路等も含んでいる。画像処理部１０８は、エリアセンサ制御部１０７より出力された１０ビットデジタル信号をガンマ変換、色空間変換、また、ホワイトバランス、ＡＥ、フラッシュ補正等の画像処理を行う。そして、ＹＵＶ（４：２：２）フォーマットの８ビットデジタル信号出力を行うものである。
【００３１】
ＬＣＤ制御部１１１は、画像処理部１０８から転送されたＹＵＶデジタル画像データ、あるいはデータ格納部１０４中の画像ファイルに対してＪＰＥＧの解凍を行ったＹＵＶデジタル画像データを受け取る。そして、ＲＧＢデジタル信号へ変換した後、表示駆動部１１２へ出力する処理を行う。表示駆動部１１２は、外部表示部１１３を駆動するための制御を行う。
【００３２】
レリーズスイッチ１１４は、撮影動作の開始を指示するためのスイッチである。このレリーズスイッチ１１４は不図示のレリーズボタンの押下圧によって２段階のスイッチポジションが有り、１段目のポジション（ＳＷ１−ＯＮ）の検出で、ホワイトバランス、ＡＥ等のカメラ設定のロック動作が行われる。そして、２段目のポジション（ＳＷ２−ＯＮ）の検出で、被写界画像信号の取り込み動作が行われる。
【００３３】
電池１１６は、リチャーチャブルの２次電池あるいは乾電池である。ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７は、ＣＰＵ１０１からの制御信号により、各々の電圧の供給開始、停止を制御できるようになっている。
【００３４】
次に、撮像装置に装着されているピント板１２８の種類（拡散特性）を判定し、該判定に応じて測光補正を行い、撮影露出を決定するしくみについて、図５を中心にして説明を行う。
【００３５】
ステップ＃２００にて、外部表示部１１３のモード設定メニュー（不図示）によりピント板判定モードに設定されると、ステップ＃２０１へ処理が進む。そして、ここではミラーボックス内の半透過主ミラー１２１、サブミラー１２２が上昇させられ、撮像レンズ１０５側からピント板に入る光が遮断される。次のステップ＃２０２では、図３に示したＳＩ−ＬＥＤ１３２のＬＥＤチップＬ５が発光し、投光レンズ１３１にて図２に示す測光領域Ａ２６に対応したピント板１２８上の位置へ投光がなされる。
【００３６】
ここで、測光領域Ａ２６に対して投光する理由について述べる。合焦位置をスーパーインポーズ表示するための微小プリズム部１２８ａ（領域Ｓ０〜Ｓ４）に投光する。すると、微小プリズム部１２８ａからの反射光が明るくなる（正反射光は接眼レンズ方向に向かうので、本来測光センサ１３０には入射しないが、実際には乱反射による光が入射する）。そのために、ピント板１２８のマット部の拡散反射光、つまり拡散特性を正確に測ることができなくなるからである。また、測光領域Ａ２６に対するＬＥＤチップＬ５の発光は、ピント板１２８の拡散反射光を測定するために微小プリズム部１２８ａ（領域Ｓ０〜Ｓ４）に向けた発光よりも強い強度（強い電流供給）で行われる。
【００３７】
次のステップ＃２０３では、ＬＥＤチップＬ５の発光による反射光を、測光センサ１３０の測光領域Ａ２５，Ａ２６，Ａ２７から各々測光領域出力Ｓ２５，Ｓ２６，Ｓ２７として取り出す。図６（ａ），（ｂ）は、測光センサ１３０の測光領域Ａ２５，Ａ２６，Ａ２７からの測光領域出力Ｓ２５，Ｓ２６，Ｓ２７の各状態を示したものである。図６（ａ）は撮像装置に拡散性の弱いピント板１２８を装着した場合、図６（ｂ）は拡散性の強いピント板１２８を装着した場合を示している。
【００３８】
次のステップ＃２０４では、ＬＥＤチップＬ５の主投光範囲である測光領域Ａ２６からの測光領域出力Ｓ２６に対して、光量３Ｆ（段）落ち、つまり１２．５％の出力を閾値ｈ（＝Ｓ２６／８）と定義する。続くステップ＃２０５では、閾値ｈに対して測光領域出力Ｓ２５と測光領域出力Ｓ２７の平均出力値を比較することで、ピント板１２８の拡散特性の大小を判定する。つまり、ｈ＝Ｓ２６／８と（Ｓ２５＋Ｓ２７）／２の大小関係を比較すればよく、図６（ａ）では、ｈ＞（Ｓ２５＋Ｓ２７）／２なので、ピント板１２８は拡散性の弱い（小さい）ピント板１２８であると判定する。図６（ｂ）の場合、ｈ＜（Ｓ２５’＋Ｓ２７’）／２なので、ピント板１２８は拡散性の強い（大きい）ピント板１２８と判定する。但し、等しい場合は拡散性が弱いピント板１２８と判定する。
【００３９】
上記ステップ＃２０５にて、撮像装置に装着されたピント板１２８が拡散性の弱いピント板１２８と判定した場合はステップ＃２０６へ進み、図７（ａ）に示す測光補正値１を選択する。一方、撮像装置に装着されたピント板１２８が拡散性の大きなピント板１２８と判定した場合はステップ＃２０７へ進み、図７（ｂ）に示す測光補正値２を選択する。
【００４０】
ここで、図７（ａ），図７（ｂ）に示した測光補正値１，２について説明する。まず、各図の縦軸は、撮像装置に装着される撮像レンズ１０５の０．５Ｆおきの開放Ｆｎｏ．であって、全ての撮像レンズ１０５はこの開放Ｆｎｏ．情報を電子情報として記憶している。そして、撮像レンズ１０５が撮像装置に装着された時点で、撮像レンズ１０５から撮像装置に対して送信されることで、撮像装置は撮像レンズ１０５の開放Ｆｎｏ．情報を得ることができる。一方、横軸は、測光センサ１３０の３５個の領域Ａ１１〜Ａ５７を領域グループ１、領域グループ２、領域グループ３にグループ分けしたものである。詳しくは、領域グループ１は測光領域Ａ３４のみ、領域グループ２は測光領域Ａ２３，Ａ２４，Ａ２５，Ａ３３，Ａ３５，Ａ４３，Ａ４４，Ａ４５、領域グループ３は上記以外の測光領域である。
【００４１】
そして、同一の領域グループ内では、各測光領域の出力に同じ補正値が用いられる。例えば、焦点距離１３５ｍｍ、開放Ｆｎｏ．２．８の撮像レンズ１０５が撮像装置に装着された場合を例にとる。この場合、撮像装置に拡散性の弱いピント板１２８が装着されていることが判定されると、図７（ａ）の測光補正値１より、領域グループ１は−０．７Ｆ、領域グループ２は−０．４Ｆ、領域グループ３は＋０．１Ｆの測光補正値が選択される。一方、拡散性の強いピント板１２８が装着されていることが判定されると、図７（ｂ）の測光補正値２より、領域グループ１は−０．５Ｆ、領域グループ２は−０．３Ｆ、領域グループ３は０Ｆ（測光補正無し）の測光補正値が選択される。
【００４２】
ここで、図７（ａ）の測光補正値１は拡散性が弱いピント板１２８装着時の測光補正値であり、図７（ｂ）の測光補正値２は拡散性が強いピント板１２８装着時の測光補正値である。
【００４３】
測光センサ１３０はピント板１２８の中心を通るファインダ光軸に対して、やぶ睨みの角度を持って配置されている。そのため、ピント板１２８における被写界光の拡散光の測光センサ１３０に入射する光量が各々のピント板の拡散性で異なってくるためである。つまり、拡散性が弱いとファインダ光としての強度は大きくなるが、やぶ睨み角度が大きい（すなわち、ファインダ光軸での像高が高い）場所での光強度は弱くなる。そのため、測光センサに入射する光量が大きく落ちることとなり、写真としては露出過多となる。従って、補正値はマイナス側に大きくする必要がある。反対に拡散性が強いピント板では、測光センサに入射する光量落ちが少なくなるため、測光補正値は少ない補正量で済む。
【００４４】
なお、これら二つの測光補正値１，２のデータは、予めＣＰＵ１０１内のＥＥＰＲＰＭに記録されている。また、ピント板判定モードの結果もやはりＥＥＰＲＯＭが記憶しており、撮像装置が起動される度に、ピント板１２８の種類に応じて測光補正値１，２のデータはＲＡＭ１０３へ展開される。そして、次回のピント板判定モードの実行がなされるまでは前回のピント板判定モードで決定された測光補正値１もしくは測光補正値２のデータが使用される。
【００４５】
上記したように、ステップ＃２００から＃２０７に至るピント板判定モードにより、撮像装置に装着されたピント板１２８に対応した測光補正値、具体的には図７（ａ）に示す測光補正値１、もしくは、図７（ｂ）に示す測光補正値２が選択される。そして、ＣＰＵ１０１内のＥＥＰＲＯＭからＲＡＭ１０３に上記の測光補正値１もしくは測光補正値２のデータが展開される。
【００４６】
再び図５に戻り、上記のようにＣＰＵ１０１内のＥＥＰＲＯＭからＲＡＭ１０３に測光補正値のデータが展開されている状態において、ステップ＃２０８にて、撮像装置が撮影モードにセットされるとステップ＃２０９へ進む。ステップ＃２０９では、レリーズボタンの１段目のポジション（ＳＷ１−ＯＮ）にて３５分割された測光センサ１３０の領域Ａ１１〜Ａ５７からの測光値（測光領域出力Ｓ１１〜Ｓ５７）の取り込みを行う。そして、次のステップ＃２１０にて、撮像レンズ１０５と通信を行い、撮像レンズ１０５の開放Ｆｎｏ．値、周辺光量落ち情報等の情報から、上記ステップ＃２０９で得られた測光値の補正を行う。続くステップ＃２１１では、上記ステップ＃２１０で補正された測光値を、ピント板判定にて決定された測光補正値１もしくは測光補正値２と撮像レンズ１０５の開放Ｆｎｏ．値から、３５個の各測光値に対して加算演算を行う。これにより、被写界を３５分割した領域の輝度を正しく測定できたことになる。以上のことから、３５個の輝度情報をもとに、焦点検出が行われた測光領域に重みをおいた加重平均演算が行われ、最終的に最適露光を与える一つの輝度値（ＢＶ値）が決定される。
【００４７】
次のステップ＃２１２では、上記の輝度値に対し、
ＢＶ（輝度値）＝ＴＶ（シャッタ速度）＋ＡＶ（絞り値）＋ＳＶ（ＩＳＯ感度）
なる公知のアペックス演算を行い、撮像装置が制御すべきシャッタ速度とレンズの絞り値を算出し、露出制御値を決定する。
【００４８】
上記実施例によれば、複数のピント板１２８を選択装着可能な撮像装置に関するものであり、次のような構成要素を有する。
【００４９】
被写界の複数領域の輝度を検出するために複数の測光領域（Ａ１１〜Ａ５７）に分割された測光手段（測光センサ１３０）を有する。さらに、ピント板１２８上もしくはその近傍の光学部材上に構成された複数の反射部材（微小プリズム部１２８ａ）に向けて照射される複数の第１光源群（ＳＩ−ＬＥＤ１３２に含まれるＬＥＤチップＬ１〜Ｌ４）を有する。さらに、反射部材の無い領域に対して照射される第２光源（ＳＩ−ＬＥＤ１３２に含まれるＬＥＤチップＬ５）を有する。
【００５０】
さらに、第２光源による照射領域に対応した第１測光領域（Ａ２６）と該第１測光領域に隣接した少なくとも一つの測光領域からなる第２測光領域（Ａ２５，Ａ２７）との輝度信号差を算出する。そして、算出した輝度信号差から、装着されたピント板１２８の拡散特性を判定するピント板判定手段（図５のステップ＃２０５の動作を実行する部分）を有する。さらに、ピント板判定手段の結果に基づいて、予め保持されている測光補正値の中よりピント板１２８に対応した測光補正値を選択する。そして、測光値を補正する測光補正手段（図５のステップ＃２０６，＃２０７，＃２１１の動作を実行する部分）を有する。
【００５１】
したがって、複数のピント板を選択装着可能な撮像装置において、撮影者が種類（拡散特性）の異なったピント板１２８を交換、装着しても、該ピント板１２８に最適な測光補正値を自動的に判定し、選択して露出を決定することが可能になる。よって、従来のように、撮影者がピント板１２８に応じた測光補正値の設定をし忘れたり、設定の間違いを起すことがなくなり、撮影時には正確な測光補正が行われるため、最適な露光量にて撮影を行うことが可能となる。
【００５２】
（本発明と実施例の対応）
測光センサ１３０が、本発明の、被写界の複数領域の輝度を検出するために複数の測光領域に分割された測光手段に相当する。また、ＳＩ−ＬＥＤ１３２に含まれるＬＥＤチップＬ１〜Ｌ４が、本発明の、ピント板上に形成された複数の反射部材に向けて照射する複数の第１光源群に相当する。また、ＳＩ−ＬＥＤ１３２に含まれるＬＥＤチップＬ５が、本発明の、反射部材の無いピント板上の領域に向けて照射する第２光源に相当する。また、図５のステップ＃２０５の動作を実行する部分が、本発明の、第１測光領域と該第１測光領域に隣接した第２測光領域との輝度信号差から、装着されたピント板の拡散特性を判定するピント板判定手段に相当する。また、図５のステップ＃２０６，＃２０７，＃２１１の動作を実行する部分が、本発明の、ピント板判定手段の結果に基づいてピント板に対応した測光補正値を選択し、測光値を補正する測光補正手段に相当する。また、図５のステップ＃２１２の動作を実行する部分が、本発明の、補正された前記測光値に基づいて露出演算を行う露出制御手段に相当する。また、ピント板１２８が本発明のピント板に、微小プリズム部１２８ａが複数の反射部材に、それぞれ相当する。
【図面の簡単な説明】
【００５３】
【図１】本発明の一実施例に係わる撮像装置を示す構成図である。
【図２】本発明の一実施例に係わる撮像装置のファインダ視野を示す図である。
【図３】本発明の一実施例に係わるスーパーインポーズ表示用のＬＥＤチップの配置を示す図である。
【図４】本発明の一実施例に係わる撮像装置の電気的構成を示す図である。
【図５】本発明の一実施例に係わる撮像装置にける測光値補正について説明するフローチャートである。
【図６】本発明の一実施例に係わるピント板拡散特性測定について説明するための図である。
【図７】本発明の一実施例に係わる測光補正値について説明するための図である。
【符号の説明】
【００５４】
１０１          ＣＰＵ
１０５          撮像レンズ
１０６          エリアセンサ
１２１          主ミラー
１２８          ピント板
１２８ａ        微小プリズム部
１２９          結像レンズ
１３０          測光センサ
１３１          投光レンズ
１３２          ＳＩ−ＬＥＤ
Ａ１１〜Ａ５７  領域
Ｌ１〜Ｌ５      ＬＥＤチップ
【図１】
2009025594.tif 000003
【図２】
2009025594.tif 000004
【図３】
2009025594.tif 000005
【図４】
2009025594.tif 000006
【図５】
2009025594.tif 000007
【図６】
2009025594.tif 000008
【図７】
2009025594.tif 000009